(57)【要約】【課題】本形式で表示された見開き画像の再生時間が全体の再生時間に占める割合や、全体の再生時間のうち現在までの時間経過や、各見開き画像の再生時間内での現在の時間を視覚的に認識できるようにする。【解決手段】画像記憶部２０に予め準備された画像を見開き画像として表示装置４に表示する。予め設定された演出効果を含めて各見開き画像を表示装置４に再生する時間に応じた区分領域を、見開き画像の先頭から末尾までの分を並べて棒グラフ３１として表示する。再生済みの見開き画像に対応する区分領域を第１色３４で塗りつぶし、現在再生中の見開き画像に対応する区分領域を第２色３５で塗りつぶす。現在再生中の見開き画像に対応する区分領域のうち再生済みの時間に相当する大きさをさらに第１色で塗りつぶす。【選択図】図１
2010039991.tif 000002
【特許請求の範囲】
【請求項１】
画像記憶手段に予め準備された複数枚の画像を右ページ画像と左ページ画像の組からなる本形式の見開き画像として表示装置に表示する画像表示方法において、
見開き画像上に予め領域を設定して付加される演出効果を含めて各見開き画像を表示装置上に再生する時間に比例した大きさの区分領域からなる再生時間表示図形を、準備された見開き画像の先頭から末尾まで並べて前記見開き画像とともに表示するステップと、
前記再生時間表示図形に対して、再生済みの見開き画像に対応する区分領域と、現在再生中の見開き画像に対応する区分領域との境界を表示するステップとからなることを特徴とする画像表示方法。
【請求項２】
再生中の区分領域のうち、まだ再生されていない時間と再生済みの時間との境界を表示するステップをさらに有する請求項１記載の画像表示方法。
【請求項３】
画像記憶手段に予め準備された複数枚の画像を右ページ画像と左ページ画像の組からなる本形式の見開き画像として表示装置に表示する画像表示方法において、
見開き画像上に予め領域を設定して付加される演出効果を含めて各見開き画像を表示装置上に再生する時間に比例した大きさの区分領域からなる再生時間表示図形を、準備された見開き画像の先頭から末尾まで並べて前記見開き画像とともに表示するステップと、
前記再生時間表示図形に対して、再生済みの見開き画像に対応する区分領域を第１色で塗りつぶすステップと、
現在再生中の見開き画像に対応する区分領域のうち、まだ再生していない時間に相当する大きさを第２色で塗りつぶすステップと、
現在再生中の見開き画像に対応する区分領域のうち再生済みの時間に相当する大きさを前記第１色で塗りつぶすステップとからなることを特徴とする画像表示方法。
【請求項４】
前記区分領域が矩形図形で表示され、これらが並べられて帯状の再生時間表示図形を形成することを特徴とする請求項１〜３のいずれかに記載の画像表示方法。
【請求項５】
前記再生時間表示図形に対して入力装置で位置が指示されたことを検出するステップと、
前記入力装置による位置の指示を検出した場合に、指示された位置の区分領域に対応する見開き画像を特定するステップと、
前記特定された見開き画像を前記画像記憶手段から読み出して、該見開き画像のプレビュー画像を、前記指示された位置の近傍に表示するステップと、
前記指示された位置に対して、入力装置によるページ切り替え指示がなされたことを検出するステップと、
前記ページ切り替え指示に応答して、前記プレビュー画像で代表される見開き画像を現在表示されている見開き画像に代えて表示するステップとからなることを特徴とする請求項１〜３のいずれかに記載の画像表示方法。
【請求項６】
前記プレビュー画像の表示位置が、前記指示された位置と重ならない位置に設定されることを特徴とする請求項５記載の画像表示方法。
【請求項７】
前記プレビュー画像が半透明画像で表示されることを特徴とする請求項５または６記載の画像表示方法。
【請求項８】
見開き画像に予め設定されている演出効果に関する情報をプレビュー画像上に表示するステップを含んでいることを特徴とする請求項５〜７のいずれかに記載の画像表示方法。
【請求項９】
請求項１〜８のいずれかに記載された画像表示方法の各ステップをコンピュータによって実行させる画像表示用コンピュータプログラム。
【請求項１０】
請求項９に記載された画像表示用コンピュータプログラムを格納したコンピュータによる読み取り可能な記録媒体。
【発明の詳細な説明】
【技術分野】
【０００１】
本発明は、画像表示方法、画像表示用コンピュータプログラムおよび記録媒体に関し、特に、絵本や写真集、カタログブック等から読みとった画像データを使用して、絵本、写真集、カタログブックの見開き形式で表示する画像表示方法および画像表示用コンピュータプログラムおよび記録媒体に関する。
【背景技術】
【０００２】
従来、特許文献１に記載されているように、絵や写真などを、実物の本のような見開き形式で表示するデジタル絵本表示システムがある。こうしたデジタル絵本には、アニメーション効果や音の効果を付加したものがあり、ページをめくりながらアニメーション効果や音の効果を再生できるようになっている。
【特許文献１】特開平５−１２０４００号公報
【発明の開示】
【発明が解決しようとする課題】
【０００３】
しかし、絵本形式でページをめくりながらアニメーション効果や音の効果を再生する場合、各見開きページの再生時間がどの程度なのか、あるいは絵本全体に対する各見開きページの再生時間がどの程度の割合なのか、さらには見開きページにおいて、再生時間がどの程度経過しているかといった情報が不明である。したがって、このような情報が見開きページに表示されることが望まれる。
【０００４】
本発明は、上記要望に対応し、見開きページ全体の再生時間、見開きページにおける再生経過時間、および絵本全体に対する見開きページの再生時間等を画面上で提供することができる画像表示方法、画像表示用プログラムおよび記録媒体を提供することを目的とする。
【課題を解決するための手段】
【０００５】
上記の課題を解決し、目的を達成するための本発明の方法は、画像記憶手段に予め準備された複数枚の画像を右ページ画像と左ページ画像の組からなる本形式の見開き画像として表示装置に表示する画像表示方法において、見開き画像上に予め領域を設定して付加される演出効果を含めて各見開き画像を表示装置上に再生する時間に比例した大きさの区分領域からなる再生時間表示図形を、準備された見開き画像の先頭から末尾まで並べて前記見開き画像とともに表示するステップと、前記再生時間表示図形に対して、再生済みの見開き画像に対応する区分領域と、現在再生中の見開き画像に対応する区分領域との境界を表示するステップとからなる点に第１の特徴がある。
【０００６】
また、本発明は、再生中の区分領域のうち、まだ再生されていない時間と再生済みの時間との境界を表示するステップをさらに有する点に第２の特徴がある。
【０００７】
また、本発明は、画像記憶手段に予め準備された複数枚の画像を右ページ画像と左ページ画像の組からなる本形式の見開き画像として表示装置に表示する画像表示方法において、見開き画像上に予め領域を設定して付加される演出効果を含めて各見開き画像を表示装置上に再生する時間に比例した大きさの区分領域からなる再生時間表示図形を、準備された見開き画像の先頭から末尾まで並べて前記見開き画像とともに表示するステップと、前記再生時間表示図形に対して、再生済みの見開き画像に対応する区分領域を第１色で塗りつぶすステップと、現在再生中の見開き画像に対応する区分領域のうち、まだ再生していない時間に相当する大きさを第２色で塗りつぶすステップと、現在再生中の見開き画像に対応する区分領域のうち再生済みの時間に相当する大きさを前記第１色で塗りつぶすステップとからなる点に第３の特徴がある。
【０００８】
また、本発明は、前記区分領域が矩形図形で表示され、これらが並べられて帯状の再生時間表示図形を形成する点に第４の特徴がある。
【０００９】
また、本発明は、前記再生時間表示図形に対して入力装置で位置が指示されたことを検出するステップと、前記入力装置による位置の指示を検出した場合に、指示された位置の区分領域に対応する見開き画像を特定するステップと、前記特定された見開き画像を前記画像記憶手段から読み出して、該見開き画像のプレビュー画像を、前記指示された位置の近傍に表示するステップと、前記指示された位置に対して、入力装置によるページ切り替え指示がなされたことを検出するステップと、前記ページ切り替え指示に応答して、前記プレビュー画像で代表される見開き画像を現在表示されている見開き画像に代えて表示するステップとからなる点に第５の特徴がある。
【００１０】
また、本発明は、前記プレビュー画像の表示位置が、前記指示された位置と重ならない位置に設定される点に第６の特徴がある。また、本発明は、前記プレビュー画像が半透明画像で表示される点に第７の特徴がある。
【００１１】
また、本発明は、見開き画像に予め設定されている演出効果に関する情報をプレビュー画像上に表示するステップを含んでいる点に第８の特徴がある。
【００１２】
また、本発明は、前記第１〜第８の特徴を有する画像表示方法の各ステップをコンピュータによって実行させる画像表示用コンピュータプログラムである。
【００１３】
さらに、本発明は、前記画像表示用コンピュータプログラムを格納したコンピュータによる読み取り可能な記録媒体である。
【発明の効果】
【００１４】
第１〜第３の特徴を有する本発明によれば、再生時間表示図形によって、全見開き画像の再生時間に対する各見開き画像の再生時間の割合を把握できるし、全再生時間に対して現在の見開き画像が再生されている時期を把握できる。つまり、絵本全体のどのあたりが再生されているかを把握できる。特に、第２、第３の特徴によれば、現在再生されている見開き画像内での現在位置を時間軸上で把握できる。そして、これらは、すべて視覚的に認識することができる。
【００１５】
第４の特徴を有する本発明によれば、矩形図形を見開き画像の枚数分並べて全体の画像再生時間を表示でき、矩形図形の長さで、各見開き画像の再生時間および全体の中で、各区分領域がどの程度の割合を占めるかを把握できる。
【００１６】
第５の特徴を有する本発明によれば、再生時間表示図形に対して入力装置を使用してユーザが位置を指示したとき、つまり入力装置でポインティングされたとき、その位置が検出され、その指示された位置の近傍に見開き画像のプレビュー画像が表示される。したがって、現在表示されている見開き以外の見開きの画像を確認できる。そして、そのプレビュー画像が表示された状態でポインティング位置をそのまま入力装置でクリック操作する等、ページ切り替え指示をすることによって、目当ての見開きへジャンプすることができる。
【００１７】
つまり、入力装置であるマウスを滑らせて、再生時間表示図形上でカーソルを移動させると、カーソル位置に応じて次々とプレビュー画像が表示されるので、目的のページのプレビュー画像が表示された時にカーソルの移動を止めて、その位置でクリックすれば、目的のページを含む見開き画像が得られる。
【００１８】
最初からすべてのプレビュー画像を再生時間表示図形に対応させて表示しておくことも考えられるが、その場合にはそれ相当の大きさの表示領域が必要となるし、ページ数が多くなるとプレビュー画像を視認しづらくなる。一方、第５の特徴を有する本発明によれば、ポインティングしたときだけプレビュー画像を表示できるので、このような不都合が生じることがない。
【００１９】
第６の特徴を有する特徴によれば、ポインティングした位置を避けるようにして、しかもポインティングした位置から遠くない位置にプレビュー画像を表示することにより、カーソルと重なることによってプレビュー画像が見づらくなってしまうのを防止できるし、ポインティングしている付近の画像をプレビュー画像が隠してしまうのも防止できる。
【００２０】
第７の特徴によれば、プレビュー画像を半透明で表示してプレビュー画像をページの画像内に重ねて表示したときに、下の画像が透けて見えるので、プレビュー画像が目障りになるのを回避することができる。
【００２１】
第８の特徴によれば、見開き画像に予め設定されている音声や画像処理の演出を、プレビュー画像に含まれているマーク等の情報によって認識することができる。
【発明を実施するための最良の形態】
【００２２】
以下、図面を参照して本発明を詳細に説明する。図２は、本発明の一実施形態に係る画像表示方法を実現する画像表示制御装置のハードウェア構成を示すブロック図である。このハードウェア構成は汎用のパーソナルコンピュータによって実現できる。すなわち、画像表示制御装置１００は、ＣＰＵ１、ＲＯＭ２、ＲＡＭ３、表示装置４、音源装置５、サウンドシステム６、入力装置７、および外部記憶装置８を有している。また、パーソナルコンピュータには、スキャナ装置９およびマイクロフォン１０が接続される。マイクロフォン１０はＡ／Ｄ変換器１１を介してパーソナルコンピュータに接続される。
【００２３】
表示装置４としては、液晶ディスプレイ装置等、パーソナルコンピュータの処理結果を表示するための周知の装置を使用できる。音源装置５は、ソフトウェアや効果音付与のためのＤＳＰ等から構成される。入力装置７は、キーボードおよびマウス等のポインティングデバイスである。外部記憶装置８は、例えば、ディスクドライブ装置であり、記憶媒体から画像表示用プログラムを読み込んでＲＯＭ２にインストールするのに用いられる。なお、画像表示用プログラムは、外部記憶装置８からＲＯＭ２にインストールするのに限らず、パーソナルコンピュータに設けられる通信装置を使用してインタネット上のサーバ等情報リソースからダウンロードするのであってもよい。ＲＡＭ３は、ＣＰＵ１での処理に使用される情報を一次的に記憶する手段である。サウンドシステム６は、図示しないＤ／Ａ変換器、アンプ、およびスピーカを含む。
【００２４】
画像表示制御装置１００は、ＲＯＭ２に読み込まれる画像表示用プログラムをＣＰＵ１で実行することにより、表示装置４に画像を表示する。ＣＰＵ１の機能および画像表示用プログラムの詳細は、以下に説明する実施例によって明らかにする。
【００２５】
画像表示制御装置１００は、スキャナ装置９で読み込んだ絵本の画像に演出効果を加えて電子絵本を作成し、その電子絵本を表示装置４で表示再生するとともに、サウンドシステム６を使用して本文の朗読音声や効果音を再生する。
【００２６】
図３は、画像表示制御装置１００の要部を示すパーソナルコンピュータの機能ブロック図である。図３において、画像読み取り部１８は、画像作成モードスイッチ１９のオンに応答してスキャナ装置９を駆動し、スキャナ装置９の読み取り位置にセットされている絵本の画像を読み取り、画像記憶部２０にページ数と対応付けて記憶される。なお、画像補正部２１を設けて、スキャナ装置９で読み取られた画像を表示装置４に表示して、必要に応じて画面の回転、トリミング、色調補正などの補正処理を画像情報に加えた後、画像記憶部２０に記憶させることもできる。
【００２７】
なお、画像記憶部２０に記憶される画像情報は、絵本から読み取ったものに限らず、写真集やカタログブック等から読みとったものでもよいし、本形式のものに限らず、複数枚のシート状の絵や写真であってもよい。また、デジタルカメラ等で撮影された電子情報による画像を画像記憶部２０に直接取り込んでもよい。さらに、外部記憶装置８から読み込まれる記録媒体に画像表示用プログラムとともに絵本の画像情報を含めておき、この画像情報を取り込むのであってもよい。
【００２８】
演出設定画像作成部２２は、画像記憶部２０に記憶された画像に対して演出効果を加える手段である。演出効果には、音声、サウンド（効果音）、ＢＧＭ等、音の演出、並びに画像の拡大・縮小、および変形・移動等、画像演出が含まれる。演出画像作成部２２は、演出領域設定部２２１と演出効果設定部２２２とからなり、演出設定モードスイッチ２３のオンに応答して起動される。
【００２９】
演出領域設定部２２１は、表示装置４に表示される演出設定前の各ページの画像に対して入力装置７を使って演出領域を決定し、その演出領域を表示装置４の表示画面上の座標値として記憶する。すなわち、入力装置９としてのマウスのＸ・Ｙ方向の移動量がＲＡＭ３上のカーソルポイントレジスタのカーソル座標データに加算されることで、この座標データに基づいて表示装置４上でのカーソル位置が決定される。そして、表示装置４に表示された各ページ画像の演出領域として指定された位置の座標データに再生時期データが付加されて、演出設定情報記憶部２４に記憶される。再生時期データは、演出領域内の画像を、演出効果を伴って表示（再生）するタイミングを示す情報であり、演出領域の設定時に編集により決定される。
【００３０】
演出効果設定部２２２は、演出領域に対応する演出の種類を選択し、演出効果として演出領域と対応付けて演出設定情報記憶部２４に記憶するものである。
【００３１】
演出設定画像再生部２５は、演出画像再生スイッチ２６のオンに応答して、第１ページ目から画像記憶部２０の画像情報を読み出して表示装置４で表示するとともに、再生時期データに従って、演出設定情報記憶部２４から演出設定情報を読み出し、この演出情報によって、表示装置４に表示されている各ページの画像に演出効果を加える。例えば、表示されている演出領域内のキャラクタを移動させたり、サウンドシステム６を使って音声や効果音等を発生させたりする。
【００３２】
図４は、演出設定モードにおける表示装置４の表示例を示す図である。図４において、演出領域は、左ページの説明文Ａと、右ページのキャラクタＢ、Ｃ、Ｄを囲む矩形領域に設定される。例えば、キャラクタＢを囲む演出領域４５は、位置４５１にマウスのカーソルをポインティングして、斜め下方向の位置４５２までマウスをドラッグすることによって設定される。同様にして、キャラクタＡ、Ｃ、Ｄに対して演出領域４６、４７、４８が設定される。設定した演出領域は視覚で認識できるように矩形線により表示される。
【００３３】
図４には、絵本の画像表示とともに、設定操作ボタンが表示される。設定表示ボタンは、音声演出ボタン４９、ＢＧＭ演出ボタン５０、アニメ演出ボタン５１、およびサウンド演出ボタン５２からなる。例えば、音声演出は、演出領域４８に対して朗読音を付与するものである。演出設定モードで表示された音声演出ボタン４９をクリックした直後に設定された演出領域は音声演出設定領域である。
【００３４】
この音声演出設定領域をさらにマウスでクリックすると、図５に示した音声演出設定窓５３が開く。音声演出設定窓２００には、録音開始ボタン２０１が設けられており、この録音開始ボタン２０１がマウスでクリックされると、マイクロフォン１０から入力される音声が取り込まれ、朗読時間に対応した長さの音声演出データとして演出設定情報記憶部２４に記憶される。音声演出データには、パン（ステレオ効果）、エコー、ピッチシフト、タイムストレッチ等、各種の効果を与える処理を加えることができる。
【００３５】
同様にして、演出領域４５、４６、４７にもサウンド演出（効果音の付加）を設定できるとともに、キャラクタＢ、Ｃ、Ｄ等には、画像の回転、拡大縮小、左右上下方向への移動等の演出を加えることができる。画像演出には、音声演出設定窓２００と同様に、画像演出用の設定窓が開かれる。
【００３６】
図４に戻る。図４において設定操作ボタンのそれぞれの右側には各演出効果が再生されるタイミング（再生時期）を表示するタイムライン５５が設けられる。再生時期は、音声については録音開始時から録音終了時に対応した時間に対応して再生時期を決定する。演出音声の再生時期が決定されると、その見開き画像の再生時間の全体を決定することができる。すなわち、朗読時間の前後に任意の時間を付加して見開き画像全体の再生時間とすることができる。
【００３７】
ＢＧＭやキャラクタに動きを付加するアニメーション、およびキャラクタの動きに合わせて発生させるサウンド（効果音）は、演出音声によって決定した時間内の任意の時間帯に、その再生時期を振り分けることができる。
【００３８】
決定した再生時期は、タイムライン５５上に各演出効果のボタンに対応させて表示することができる。図４において、再生時期の例はタイムライン５５上にハッチングで示した。演出領域４５〜４８から再生時期を示すハッチングへ延びた矢印で演出領域と再生時期との対応を示している。
【００３９】
図６は、演出設定情報記憶部２４に記憶される演出設定情報の例を示す図である。図６において、演出設定情報記憶部２４は、絵本のページ記述領域５６と、ページ記述領域５６に対応付けられた演出設定情報記憶領域５７とからなる。演出設定情報は、演出領域のＸ・Ｙ座標と、設定効果名と、設定効果の内容と、再生時間と、再生時期とからなる。再生時期は各ページの画像再生が開始された時を基準にしている。図６の演出設定情報記憶部２４の構成は一例であり、他の情報を演出設定情報に含めてもよい。
【００４０】
前記再生画像表示領域２９に表示された絵本画像のページは、ページめくりボタン３９〜４１や自動ページめくりボタン４２を操作して１ページずつめくったり、最初のページにジャンプさせたりすることができる。しかし、さらに先のページや前のページにジャンプさせたいという要望がある。この要望には、後述する方法によって応えることができる。
【００４１】
図１は、表示装置４の表示例を示す図である。図１において、画面２７は、モードスイッチ表示領域２８、再生画像表示領域２９、再生操作領域３０、および再生画像領域２９の下方に設けられた時間軸を示す横長の棒グラフ３１が表示されている。モードスイッチ表示領域２８には、画像作成モードスイッチ１９、演出設定モードスイッチ２３、演出画像再生スイッチ２６、および印刷スイッチ３２が設けられる。また、画像作成モードスイッチ１９の上方には、現在選択されているモードを表示する現在モード表示領域３３が設けられる。現在のモードは演出画像再生モードであり「再生」と表示されている。
【００４２】
棒グラフ３１は、各見開き画像２ページ分（以下、見開き画像を構成する２ページを、「１枚」と呼ぶ。但し、絵本の表紙は、片側１ページで１枚の見開き画像である。）の再生時間をそれぞれ表したものである。棒グラフ３１は、各見開き画像の再生時間に応じた長さで目盛りを付加しており、現在再生している見開き画像の直前までの画像は第１色の領域３４（例えば赤）で表示し、現在再生している見開き画像を第２色の領域３５（例えば青）で示している。現在の見開き画像の再生が進むにつれて第２色の領域３５の長さが短くなって、第１色の領域３４の長さが長くなっていく。これにより、絵本全体に対する各見開き画像の再生時間が判断できるし、絵本全体に対する現在再生中の見開き画像の位置が判断できるとともに、再生中の見開き画像中の現在位置が判断できる。
【００４３】
再生操作領域３０には、再生開始ボタン３６、停止ボタン３７、および再生ページ中の頭出しボタン３８と、ページめくりボタン３９、４０、４１とが表示される。ページめくりボタン３９は次ページへ表示を進めるスイッチであり、ページめくりボタン４１は前ページへ表示を戻すスイッチである。また、ページめくりボタン４０は最初のページにジャンプして表示させるスイッチである。ページめくりボタン３９、４０、４１は手動操作スイッチである。表示中のページの画像再生が終了した後、自動的にページめくりを実行する自動めくりボタン４２が設けられる。
【００４４】
図１は、演出画像再生モード実行中の画面であり、再生画像表示領域２９には、２ページ見開き形式で絵本が表示されている例が示されている。符号４３はすでに読み込まれている絵本の画像ファイルにアクセスするための本棚ボタンであり、画像ファイルから絵本の画像を読み出して編集や再生を行う場合に使用する。符号４４はオフスイッチであり、画像表示を終了するときに使用される。
【００４５】
図７は、時間経過に伴う棒グラフ３１の変化を示す図である。図７（ａ）に示すように、このデジタル絵本は、１５枚の見開き画面からなる。各見開き画像の演出効果の再生時間は、棒グラフ３１の１目盛りで表される。図７（ａ）は、１５枚の見開き画像のうち、第９枚目の見開きが表示され、この第９枚目の見開き画像に付加されている演出効果が再生中であることを示す。そして、第２色の領域３５は、第９枚目の見開き画像に付加されている演出効果が、時間Ｔ１で再生開始されてから時間が経過した分に相当する長さＬ１だけ短くなり、第１色の領域３４が長くなっている。
【００４６】
図７（ｂ）は、第９枚目の見開きに付加されている演出効果の再生が終わりに近づいている状態であり。第２色の領域３５はほとんど消滅しかかっている。
【００４７】
図７（ｃ）は、第１０枚目の見開き画像に付加されている演出効果の再生が開始された状態であり、第２色の領域３５は、第１０枚目の見開き画像に相当する棒グラフ３１の区分領域５８全体に亘っている。
【００４８】
上記棒グラフ３１の表示は、再生時間の経過に従って棒グラフ３１の第２色の領域３５が第１色の領域３４で浸食されるように行ったが、この構成に限らない。例えば、見開き画像の設定効果の再生が開始された後、時間の経過に伴って第２色の領域３５が延び、該見開き画像の再生時間に応じた棒グラフ３１の区分領域が第２色で塗りつぶされた時に、その第２色の領域３５を第１色に塗り替えるという構成であってもよい。
【００４９】
また、第１色の領域３４と第２色の領域との境界線が、再生時間の経過に従って右方向に移動していくようにしてもよい。この場合、第１の色および第２の色の着色を省略してもよい。
【００５０】
図８は、ページ再生時間を棒グラフで表示するための画像表示制御装置１００の要部機能を示すブロック図である。図８において、棒グラフ区分長さ算出部５９は、演出設定情報記憶部２４に記憶されている各ページの再生時間に基づいて、各見開き画像の再生時間を算出し、さらに、その各見開き画像の再生時間が全ての見開き画像の合計再生時間に示す割合を算出する。棒グラフ表示部６０は、所定長さの棒グラフ３１を前記各見開き画像の再生時間の割合で内分し、各見開き画像の再生時間の割合に応じた区分領域の長さを有する棒グラフ３１を表示装置４上に、図１に一例を示したように表示する。
【００５１】
再生カウンタ６１には、各見開き画像の再生時間に比例したカウンタ値がセットされる。各見開きページの再生時間は、演出設定情報記憶部２４に記憶されている各ページの再生時間を参照して検出される。再生カウンタ６１は、見開き画像に設定されている演出効果の再生が開始されると、ＣＰＵ１のクロック信号が予定数入力される毎にカウンタ値を減少させ、カウンタ値がゼロになったときに、再生終了信号をページカウンタ６２に入力する。ページカウンタ６２には、現在開かれている見開き画像の枚数が初期値として設定されており、前記再生カウンタ６１から再生終了信号が入力される毎に、見開き画像の枚数が更新される。
【００５２】
第１色表示部６３は、ページカウンタ６２の値に応じて、棒グラフ表示部６０に、見開きページ数と第１色（例えば赤）の領域３４を付加する指示を出力する。棒グラフ表示部６０は、棒グラフ３１上の該当見開きページの目盛りまで（見開き画像が第９枚目の画像ならば、第８枚目の見開き画像の目盛りまで）第１色で塗りつぶす。さらに、第１色表示部６３は、再生カウンタ６１から、カウンタ値の初期値と現在値を読み出して、該初期値に対する現在値の割合を、現在表示されている見開き画像の再生時間の経過割合として算出し、その割合に応じた長さの第１色領域３４を追加して表示する。
【００５３】
第２色表示部６４は、現在表示されている見開き画像に対応する棒グラフ３１の区分領域のうち、前記再生時間の経過割合を減算した長さを第２色（青）で塗りつぶす指示を棒グラフ表示部６０に入力する。
【００５４】
次に、前記棒グラフ３１に付加することができる機能について説明する。棒グラフ３１の各区分領域（目盛りで挟まれた領域）は、各見開き画像を代表する。したがって、この棒グラフ３１の、見開き画像を代表する各区分領域を入力装置９で指示（ポインティング）することによって、図１の再生画像表示領域２９に表示された画像を、指示された見開き画像に切り替えることができる。
【００５５】
図９は、ページ画像の表示切り替え（ページジャンプ）が可能な画像の表示例を示す図である。図９では、入力装置７としてのマウスでマウスカーソルを移動させて、棒グラフ３１にポインティングした例を示す。区分領域６５をポインティングすると、ポインティングされた棒グラフ３１上の区分領域６５で代表される見開き画像１枚分の画像が画像記憶部２０から読み出され、この見開き画像を縮小したプレビュー画像６６が棒グラフ３１上に表示される。プレビュー画像６６の表示位置は、ポインティングした位置のカーソルＣ１と重ならないように、棒グラフ３１上で左右いずれかにずらせて表示するのがよい。この例ではカーソルＣ１に対してプレビュー画像６６を右側にずらせて表示している。このように表示位置をずらすことによってプレビュー画像６６とカーソルとが重なって、カーソルＣ１やプレビュー画像６６の詳細が見えにくくなるのを防止するためである。
【００５６】
そして、ポインティング位置を棒グラフ３１でずらせていくと、次々とプレビュー画像が切り替わっていくので、所望の見開き画像がプレビュー画像として表示されたところで、そのポインティングした位置でマウスをクリックすると、プレビュー画像に対応する見開き画像が、再生画像表示領域２９に現在表示されている見開き画像に代わって表示される。
【００５７】
なお、プレビュー画像６６は、見開き画像や棒グラフ３１の画像に重ねて表示されるので、見開き画像や棒グラフ３１の一部がこのプレビュー画像６６で隠されてしまう。このように見開きページ等の一部がプレビュー画像によって隠されるのを防止するため、プレビュー画像を半透明で表示させるのがよい。
【００５８】
プレビュー画像６６によって、ユーザは、該プレビュー画像６５で代表される見開きページに設定されている演出効果を認識できる
【００５９】
図１０は、半透明のプレビュー画像の例を示す図である。この図では、ポインティング位置（カーソルＣ１）が右側にあるので、プレビュー画像６６はカーソルＣ１の左側にずらせて表示されている。その結果、プレビュー画像６６が、操作アイコン６７が表示されている位置に一部重ねて表示されることになっている。このような場合にも、プレビュー画像６６は半透明で表示されているので、操作アイコン６７や棒グラフ３１がプレビュー画像６６上に透けて見える。
【００６０】
図１１は、ページジャンプ処理の例を示すフローチャートである。図１１において、ステップＳ１では、棒グラフ３１上に対するポインティングの有無が判断される。ステップＳ１が肯定ならば、ステップＳ２に進み、予め記憶してある棒グラフ３１の各区分領域の座標を参照して、ポインティングされた位置が第何枚目の見開き画像を代表する区分領域に相当する位置かを検出する。
【００６１】
ステップＳ３では、検出された区分領域で代表される見開き画像を構成する２ページ分（表紙の場合は１ページのみ）の画像データを画像記憶部２０から読み出す。ステップＳ４では、読み出した見開き画像２ページ分の画像データを、予め設定された縮小率で縮小してプレビュー画像を作成する。ステップＳ５では、作成されたプレビュー画像を、棒グラフ３１上の、ポインティングされた位置から左右に予定量ずらせた位置に表示する。
【００６２】
ステップＳ６では、ポインティング位置がクリックされたか否かが判断される。ステップＳ６が肯定ならば、ステップＳ７に進んで、プレビュー画像で代表される見開き画像の画像データを画像記憶部２０から読み出す。それからステップＳ８に進んで、読み出した見開き画像を再生画像表示領域２９に表示する。
【００６３】
ステップＳ６が否定ならば、ステップＳ９に進んで、直前のポインティング位置とは異なる棒グラフ３１上の位置がポインティングされたか否か、つまりポインティング位置が他の区分領域に移動したか否かを判断する。ステップＳ９が否定ならば、ステップＳ６に戻る。ステップＳ９が肯定ならば、ステップＳ２に進む。
【００６４】
図１２は、ページジャンプ処理に必要な機能を示す画像表示制御装置１００の要部機能ブロック図である。図１２において、ポインティング位置判別部６８は、再生画像表示領域２９に表示されている見開き画像内の棒グラフ表示領域が入力装置７でポインティングされたときに、その位置座標を棒グラフ区分領域検出部６９に入力する。棒グラフ区分領域検出部６９は、ポインティング位置判別部６８から入力された位置座標に基づいて棒グラフ区分座標記憶部７０を検索して、見開きページを代表する区分領域を抽出する。棒グラフ区分座標記憶部７０は、棒グラフ３１が表示されている領域の各区分領域を示すＸ・Ｙ座標値を記憶しており、ポインティングされた位置の座標を含む区分領域を示す情報を出力する。
【００６５】
区分領域を示す情報、すなわち第何枚目の見開き画像を代表するかを示す情報はプレビュー作成部７１に入力される。プレビュー作成部７１は、画像記憶部２０から指示された見開きページを構成する２ページ分の画像情報を読み出して予定の縮小率で縮小してプレビュー表示部７２（表示装置４）に出力する。
【００６６】
クリック操作判定部７３は、ポインティングされた位置でマウスクリックがなされたか否かを判定し、クリックされたと判定されたならば、画像記憶部２０にページ番号を伴う読み出し指示を入力する。画像記憶部２０は入力されたページ番号の画像情報を見開き表示部７４（表示装置４）に入力する。入力された画像情報に従って見開き表示部７４は入力されたページ番号を含む見開きページの画像を見開き表示部７４に表示させる。
【００６７】
演出再生部７５は、演出画像再生スイッチ２６がオンになると、演出設定情報記憶部２４から演出設定情報を読み出して、見開き表示部７４に表示されているページに設定されている演出効果を再生する。なお、演出効果の再生は、演出画像再生スイッチ２６のオンによって行われるのに限らず、ポインティング位置に対するクリック動作に応答して見開きページを再生するのと同時に自動的に演出効果を含めて見開きページを再生させてもよい。
【００６８】
図１３は、画像中に演出設定情報を表示した例を示す図である。図１３において、見開き画像８０の右ページのキャラクタ８１の演出設定領域８２には、演出効果を示す情報（マーク）Ａ、Ｂが表示され、キャラクタ８３の演出設定領域８４には、演出効果を示す情報Ｃ、Ｄが表示され、キャラクタ８５の演出設定領域８６には演出効果を示す情報Ｅが表示される。また、見開き画像８０の左ページの文に設定した演出設定領域８７には、演出効果を示す情報Ｆ、Ｇが表示される。情報Ａ〜Ｇは、サウンド、画像の拡大・縮小、画像の回転、画像の移動、音声、ＢＧＭ等の演出効果がそれぞれの演出設定領域に設定されていることを示す。図１３においては、棒グラフ３１に表示されているプレビュー画像８８にも、演出マークが含まれている。
【００６９】
なお、絵本のストーリ、つまり時間経過に従って予定の順序で再生されるストーリ演出と、ユーザが画面上をマウス等入力装置でクリックしたときに、そのクリックした位置が予定のシークレット設定位置であった場合に演出効果が再生されるシークレット演出とを区別して設定することができる。そして、前記演出効果を示すマークには、該演出効果がストーリ演出に属するものかシークレット演出に属するものかを表すものを追加してもよい。
【００７０】
上述のように、本実施形態によれば、２ページ見開き形式で表示される絵本の所望のページへジャンプさせるため、棒グラフ３１に表示されている見開きページの再生時間に比例した長さの区分領域を利用できるようにした。すなわち、棒グラフ３１の目盛りで分けられた区分領域をポインティングすることで棒グラフ３１上にプレビュー画像を表示させ、その位置でクリックしてページ切り替え指示を行うことで、該プレビュー画像に対応する所望の見開きページにジャンプしてその画像を表示させることができる。
【００７１】
本実施形態は、絵本に関して説明したが、本の種類は絵本に限らず、写真集やカタログブック等でも同様に表示できる。また、本や冊子に限らず、独立した複数枚の絵や写真をスキャナ装置９で取り込んでサイズを調節して本形式で表示させるものにも適用することができる。
【００７２】
なお、見開きページの再生時間等を棒グラフ３１で代表させたが、棒グラフ３１は、図示したものに限らない。要は、時間軸上に絵本等の見開きページの再生時間を表す区分領域の図形を先頭から末尾まで配列して表示すればよい。
【図面の簡単な説明】
【００７３】
【図１】本発明の一実施形態に係る本形式の見開き画像表示例を示す図である。
【図２】本発明の一実施形態に係る画像表示制御装置であるパーソナルコンピュータのハード構成を示すブロック図である。
【図３】画像に演出設定するための画像表示制御装置の要部機能を示すブロック図である。
【図４】演出設定モードにおける表示装置４の表示例を示す図である。
【図５】音声演出の設定窓の一例を示す図である。
【図６】演出設定情報の記憶例を示す図である。
【図７】時間経過に伴う棒グラフ３１の変化を示す図である。
【図８】ページ再生時間を棒グラフで表示するための画像表示制御装置の要部機能を示すブロック図である。
【図９】ページ画像の表示切り替え（ページジャンプ）が可能な画像の表示例を示す図である。
【図１０】半透明のプレビュー画像の例を示す図である。
【図１１】ページジャンプ処理の例を示すフローチャートである。
【図１２】ページジャンプ処理に必要な機能を示す画像表示制御装置の要部機能ブロック図である。
【図１３】画像中に演出設定情報を表示した例を示す図である。
【符号の説明】
【００７４】
１…ＣＰＵ、  ４…表示装置、  ７…入力装置、  ９…スキャナ装置、  １９…画像作成モードスイッチ、  ２０…画像記憶部、  ２２…演出設定画像作成部、  ２３…演出設定モードスイッチ、  ２４…演出設定情報記憶部、  ２５…演出設定画像再生部、  ２７…画面、  ２９…再生画像表示領域、  ３１…棒グラフ、  ３４…第１色の領域、  ３５…第２色の領域、  ５９…棒グラフ区分長さ算出部、  ６０…棒グラフ表示部、  ６１…再生カウンタ、  ６２…ページカウンタ、  ６３…第１色表示部、  ６４…第２色表示部、  ６５…区分領域、  ６８…ポインティング位置判別部、  ６９…棒グラフ区分領域検出部、  ７０…棒グラフ区分座標記憶部、  ７１…プレビュー作成部、  ７２…プレビュー表示部  ７３…クリック操作判定部
【図１】
2010039991.tif 000003
【図２】
2010039991.tif 000004
【図３】
2010039991.tif 000005
【図４】
2010039991.tif 000006
【図５】
2010039991.tif 000007
【図６】
2010039991.tif 000008
【図７】
2010039991.tif 000009
【図８】
2010039991.tif 000010
【図９】
2010039991.tif 000011
【図１０】
2010039991.tif 000012
【図１１】
2010039991.tif 000013
【図１２】
2010039991.tif 000014
【図１３】
2010039991.tif 000015